(57)【要約】  ユーザ装置は、基地局装置と通信を行い、複数のブロックと、非衝突型ランダムアクセスに使用されるリソースの一部を特定する情報を含む通知とを前記基地局装置から受信する受信部と、前記ブロックと関連付けられたランダムアクセスに使用されるリソースを特定する情報と、前記非衝突型ランダムアクセスに使用されるリソースの一部を特定する情報とから、非衝突型ランダムアクセスに使用されるリソースを特定する制御部と、前記特定された非衝突型ランダムアクセスに使用されるリソースを使用して、プリアンブルを前記基地局装置に送信する送信部とを有する。
2019064603.tif 000002
【特許請求の範囲】
【請求項１】
基地局装置と通信を行うユーザ装置であって、
１又は複数のブロックと、非衝突型ランダムアクセスに使用されるリソースの一部を特定する情報を含む通知とを前記基地局装置から受信する受信部と、
前記ブロックと関連付けられたランダムアクセスに使用されるリソースを特定する情報と、前記非衝突型ランダムアクセスに使用されるリソースの一部を特定する情報とから、非衝突型ランダムアクセスに使用されるリソースを特定する制御部と、
前記特定された非衝突型ランダムアクセスに使用されるリソースを使用して、プリアンブルを前記基地局装置に送信する送信部とを有するユーザ装置。
【請求項２】
前記ブロックと関連付けられたランダムアクセスに使用されるリソースは、報知情報に基づく衝突型ランダムアクセスに使用されるリソース又はハンドオーバコマンドに基づいて特定されたリソース又はユーザ装置個別のシグナリングに基づいて特定されたリソースである請求項１記載のユーザ装置。
【請求項３】
前記非衝突型ランダムアクセスに使用されるリソースの一部を特定する情報は、時間領域、周波数領域又はプリアンブルインデックスの少なくともいずれかひとつを特定する情報である請求項１記載のユーザ装置。
【請求項４】
前記時間領域、周波数領域又はプリアンブルインデックスの少なくともいずれかひとつを特定する情報は、前記複数のブロック間で共通のインデックスを含み、前記共通のインデックスに基づいて、前記複数のブロックそれぞれに関連付けられる時間領域、周波数領域又はプリアンブルインデックスが特定される請求項３記載のユーザ装置。
【請求項５】
前記ブロックと関連付けられたランダムアクセスに使用されるリソースは、衝突型ランダムアクセスに使用される複数のリソースを含むリソースセットであって、前記非衝突型ランダムアクセスに使用されるリソースの一部を特定する情報は、前記リソースセットからの時間領域又は周波数領域のオフセット及び非衝突型ランダムアクセスに使用されるリソースセットのサイズを特定する情報を含む請求項１記載のユーザ装置。
【請求項６】
ユーザ装置と通信を行う基地局装置であって、
非衝突型ランダムアクセスに使用されるリソースの一部を特定する情報を含む通知を生成する設定部と、
複数のブロックと、前記非衝突型ランダムアクセスに使用されるリソースの一部を特定する情報を含む通知とを前記ユーザ装置に送信する送信部と、
前記ブロックと関連付けられたランダムアクセスに使用するリソースを特定する情報と、前記非衝突型ランダムアクセスに使用されるリソースの一部を特定する情報とから、特定される非衝突型ランダムアクセスに使用されるリソースで、プリアンブルを前記ユーザ装置から受信する受信部とを有する基地局装置。
【発明の詳細な説明】
【技術分野】
【０００１】
本発明は、無線通信システムにおけるユーザ装置及び基地局装置に関する。
【背景技術】
【０００２】
３ＧＰＰ（3rd Generation Partnership Project）では、システム容量の更なる大容量化、データ伝送速度の更なる高速化、無線区間における更なる低遅延化等を実現するために、５ＧあるいはＮＲ（New Radio）と呼ばれる無線通信方式（以下、当該無線通信方式を「ＮＲ」という。）の検討が進んでいる。ＮＲでは、１０Ｇｂｐｓ以上のスループットを実現しつつ無線区間の遅延を１ｍｓ以下にするという要求条件を満たすために、様々な無線技術の検討が行われている。【０００３】
ＮＲでは、ユーザ装置と基地局装置とが接続を確立する際の初期アクセスにおいて、基地局装置から送信される同期信号によるセル検出及びセル同定、及び初期アクセスに必要なシステム情報の一部の取得が、ユーザ装置によって行われる（例えば非特許文献１）。【０００４】
また、ＮＲでは、ＬＴＥ（Long Term Evolution）と同様の低い周波数帯から、ＬＴＥよりも更に高い周波数帯までの幅広い周波数を使用することが想定されている。特に、高周波数帯では伝搬ロスが増大することから、当該伝搬ロスを補うために、ビーム幅の狭いビームフォーミングを適用することが検討されている（例えば非特許文献２）。
【先行技術文献】
【非特許文献】
【０００５】
【非特許文献１】３ＧＰＰ  ＴＳ  ３６．２１３  Ｖ１４．３．０  （２０１７−０６）
【非特許文献２】３ＧＰＰ  ＴＳ  ３６．２１１  Ｖ１４．３．０  （２０１７−０６）
【発明の概要】
【発明が解決しようとする課題】
【０００６】
ＮＲにおいて、初期アクセスに必要な同期信号及びシステム情報の一部は、連続したＯＦＤＭ（Orthogonal Frequency Division Multiplexing）シンボルから構成されるＳＳ  ｂｌｏｃｋ（Synchronization Signal block）と呼ばれるリソースユニットで、無線フレームにマッピングされる。ユーザ装置は、基地局装置から送信されるＳＳ  ｂｌｏｃｋを受信して初期アクセスに必要な情報を取得する。初期アクセスに必要な情報には、ＲＡＣＨ（Random Access Channel）リソース及びプリアンブル信号形式を特定する情報が含まれる。【０００７】
また、ＮＲにおいては、基地局装置は、ビームフォーミングを適用して複数のビームを送信する。当該ビームに関連付けられたＳＳ  ｂｌｏｃｋをユーザ装置は受信し、初期アクセスに必要な情報を取得する。ＲＡＣＨリソースは、ＳＳ  ｂｌｏｃｋに関連付けられている。【０００８】
ここで、非衝突型ランダムアクセスに使用するＲＡＣＨリソースをユーザ装置に通知する場合、ＲＡＣＨリソースを特定するための情報、すなわち、ＲＡＣＨリソースの時間領域及び周波数領域の位置、プリアンブルインデックス、関連付けられるＣＳＩ−ＲＳ（Channel State Information - Reference Signal）及び関連付けられるＳＳ  ｂｌｏｃｋ等のすべてを通知するとシグナリングオーバヘッドが大きくなる問題があった。【０００９】
本発明は上記の点に鑑みてなされたものであり、無線通信システムの初期アクセスにおいて、非衝突型ランダムアクセスに使用するリソースを効率良くユーザ装置に通知することを目的とする。
【課題を解決するための手段】
【００１０】
開示の技術によれば、基地局装置と通信を行い、複数のブロックと、非衝突型ランダムアクセスに使用されるリソースの一部を特定する情報を含む通知とを前記基地局装置から受信する受信部と、前記ブロックと関連付けられたランダムアクセスに使用されるリソースを特定する情報と、前記非衝突型ランダムアクセスに使用されるリソースの一部を特定する情報とから、非衝突型ランダムアクセスに使用されるリソースを特定する制御部と、前記特定された非衝突型ランダムアクセスに使用されるリソースを使用して、プリアンブルを前記基地局装置に送信する送信部とを有するユーザ装置が提供される。
【発明の効果】
【００１１】
開示の技術によれば、無線通信システムの初期アクセスにおいて、非衝突型ランダムアクセスに使用するリソースを効率良くユーザ装置に通知することができる。
【図面の簡単な説明】
【００１２】
【図１】本発明の実施の形態における無線通信システムの構成例を示す図である。
【図２】本発明の実施の形態における初期アクセスのシーケンスの一例を示す図である。
【図３】本発明の実施の形態におけるＳＳ  ｂｌｏｃｋに関連付けられたＲＡＣＨリソースを説明するための図である。
【図４】本発明の実施の形態におけるＳＳ  ｂｌｏｃｋに関連付けられたＲＡＣＨリソースの例（１）を示す図である。
【図５】本発明の実施の形態におけるＳＳ  ｂｌｏｃｋに関連付けられたＲＡＣＨリソースの例（２）を示す図である。
【図６】本発明の実施の形態におけるＳＳ  ｂｌｏｃｋに関連付けられたＲＡＣＨリソースの例（３）を示す図である。
【図７】本発明の実施の形態における基地局装置１００の機能構成の一例を示す図である。
【図８】本発明の実施の形態におけるユーザ装置２００の機能構成の一例を示す図である。
【図９】基地局装置１００及びユーザ装置２００のハードウェア構成の一例を示す図である。
【発明を実施するための形態】
【００１３】
以下、図面を参照して本発明の実施の形態を説明する。なお、以下で説明する実施の形態は一例であり、本発明が適用される実施の形態は、以下の実施の形態に限られない。
【００１４】
本実施の形態の無線通信システムの動作にあたっては、適宜、既存技術が使用される。ただし、当該既存技術は、例えば既存のＬＴＥであるが、既存のＬＴＥに限られない。また、本明細書で使用する用語「ＬＴＥ」は、特に断らない限り、ＬＴＥ−Ａｄｖａｎｃｅｄ、及び、ＬＴＥ−Ａｄｖａｎｃｅｄ以降の方式（例：ＮＲ）を含む広い意味を有するものとする。
【００１５】
また、以下で説明する実施の形態では、既存のＬＴＥで使用されているＳＳ（Synchronization Signal）、ＰＳＳ（Primary SS）、ＳＳＳ（Secondary SS）、ＰＢＣＨ（Physical broadcast channel）、ＰＲＡＣＨ（Physical RACH）、等の用語を使用している。これは記載の便宜上のためであり、これらと同様の信号、機能等が他の名称で呼ばれてもよい。また、ＮＲにおける上述の用語は、ＮＲ−ＳＳ、ＮＲ−ＰＳＳ、ＮＲ−ＳＳＳ、ＮＲ−ＰＢＣＨ、ＮＲ−ＰＲＡＣＨ等に対応する。
【００１６】
図１は、本発明の実施の形態における無線通信システムの構成例を示す図である。本発明の実施の形態における無線通信システムは、図１に示されるように、基地局装置１００及びユーザ装置２００を含む。図１には、基地局装置１００及びユーザ装置２００が１つずつ示されているが、これは例であり、それぞれ複数であってもよい。
【００１７】
基地局装置１００は、１つ以上のセルを提供し、ユーザ装置２００と無線通信を行う通信装置である。図１に示されるように、基地局装置１００は、同期信号及びシステム情報をユーザ装置２００に送信する。同期信号は、例えば、ＮＲ−ＰＳＳ及びＮＲ−ＳＳＳである。システム情報は、例えば、ＮＲ−ＰＢＣＨにて送信される。また、システム情報は、報知情報ともいう。基地局装置１００及びユーザ装置２００とはいずれも、ビームフォーミングを行って信号の送受信を行うことが可能である。ユーザ装置２００は、スマートフォン、携帯電話機、タブレット、ウェアラブル端末、Ｍ２Ｍ（Machine-to-Machine）用通信モジュール等の無線通信機能を備えた通信装置であり、基地局装置１００に無線接続し、無線通信システムにより提供される各種通信サービスを利用する。初期アクセスの段階において、図１に示されるように、ユーザ装置２００は、ランダムアクセスのプリアンブル信号を基地局装置１００に送信する。当該ランダムアクセスは、基地局装置１００から受信したＮＲ−ＰＢＣＨによるシステム情報に加え、ＮＲ−ＰＤＣＣＨ（Physical downlink control channel）によってスケジューリングされたＮＲ−ＰＤＳＣＨ（Physical downlink shared channel）によるシステム情報であるＲＭＳＩ（Remaining minimum system information）に基づいて行われる。ＲＭＳＩは、例えば、ＲＡＣＨ設定等の初期アクセスに必要な情報を含む。
【００１８】
なお、本実施の形態において、複信（Duplex）方式は、ＴＤＤ（Time Division Duplex）方式でもよいし、ＦＤＤ（Frequency Division Duplex）方式でもよいし、又はそれ以外（例えば、Flexible Duplex等）の方式でもよい。
【００１９】
また、以下の説明において、送信ビームを用いて信号を送信することは、プリコーディングベクトルが乗算された（プリコーディングベクトルでプリコードされた）信号を送信することとしてもよい。同様に、受信ビームを用いて信号を受信することは、所定の重みベクトルを受信した信号に乗算することとしてもよい。また、送信ビームを用いて信号を送信することは、特定のアンテナポートで信号を送信することと表現されてもよい。同様に、受信ビームを用いて信号を受信することは、特定のアンテナポートで信号を受信することと表現されてもよい。アンテナポートとは、３ＧＰＰの規格で定義されている論理アンテナポート又は物理アンテナポートを指す。なお、送信ビーム及び受信ビームの形成方法は、上記の方法に限られない。例えば、複数アンテナを備える基地局装置１００及びユーザ装置２００において、それぞれのアンテナの角度を変える方法を用いてもよいし、プリコーディングベクトルを用いる方法とアンテナの角度を変える方法を組み合わせる方法を用いてもよいし、異なるアンテナパネルを切り替えて利用してもよいし、複数のアンテナパネルを合わせて使う方法を組み合わせる方法を用いてもよいし、その他の方法を用いてもよい。また、例えば、高周波数帯において、複数の互いに異なる送信ビームが使用されてもよい。複数の送信ビームが使用されることを、マルチビーム運用といい、ひとつの送信ビームが使用されることを、シングルビーム運用という。
【００２０】
（実施例１）
以下、実施例１について説明する。
【００２１】
図２は、本発明の実施の形態における初期アクセスのシーケンスの一例を示す図である。初期アクセスが開始されると、ステップＳ１において、基地局装置１００は、ＮＲ−ＰＳＳ、ＮＲ−ＳＳＳ及びＮＲ−ＰＢＣＨ、すなわちＳＳ  ｂｌｏｃｋを、ユーザ装置２００に送信する。ＮＲ−ＰＢＣＨには、システム情報の一部が含まれる。基地局装置１００は、複数のＳＳ  ｂｌｏｃｋで構成されるＳＳ  ｂｕｒｓｔ  ｓｅｔをＳＳ  ｂｕｒｓｔ  ｓｅｔ  ｐｅｒｉｏｄｉｃｉｔｙの周期で繰り返してユーザ装置２００に送信する。ＳＳ  ｂｕｒｓｔ  ｓｅｔに複数のＳＳ  ｂｌｏｃｋが含まれる場合、当該複数のＳＳ  ｂｌｏｃｋは、マルチビーム運用環境において、それぞれ異なるビームに関連付けられてもよい。
【００２２】
一方、ユーザ装置２００は、基地局装置１００から送信されるＮＲ−ＰＳＳを受信して、初期の時間及び周波数同期及びセルＩＤ（identity）の一部の特定に少なくとも使用する。また、ユーザ装置２００は、基地局装置１００から送信されるＮＲ−ＳＳＳを受信して、少なくともセルＩＤの一部の特定に使用する。また、ユーザ装置２００は、基地局装置１００から送信されるＮＲ−ＰＢＣＨを受信して、初期アクセスに必要なシステム情報の一部、例えば、システムフレーム番号（ＳＦＮ：System Frame Number）及び他のシステム情報のＲＭＳＩ等を取得するための情報を取得する。
【００２３】
続いて、ステップＳ２において、ＲＭＳＩを含む他のシステム情報は、ＮＲ−ＰＤＣＣＨによってスケジューリングされたＮＲ−ＰＤＳＣＨを介して受信される。ＲＭＳＩには、ランダムアクセス手順を実行するためのリソース、すなわち、ＲＡＣＨリソース及びプリアンブルインデックス等を特定する情報が含まれる。
【００２４】
ＳＳ  ｂｕｒｓｔ  ｓｅｔに複数のＳＳ  ｂｌｏｃｋが含まれる場合、ユーザ装置２００は、あるＳＳ  ｂｌｏｃｋを取得すると、当該ＳＳ  ｂｌｏｃｋに関連付けられるＲＡＣＨリソースで、プリアンブルを送信しランダムアクセス手順を開始する（Ｓ３）。
【００２５】
ステップＳ３において、基地局装置１００とユーザ装置２００との間でランダムアクセス手順が成功すると、初期アクセスは完了し、通常の通信が開始される（Ｓ４）。
【００２６】
図３は、本発明の実施の形態におけるＳＳ  ｂｌｏｃｋに関連付けられたＲＡＣＨリソースを説明するための図である。図３に示されるように、ＮＲにおいて、基地局装置１００からビームに関連付けられたＳＳ  ｂｌｏｃｋを含むＳＳ  ｂｕｒｓｔ  ｓｅｔが送信される。ユーザ装置２００は、検出可能なＳＳ  ｂｌｏｃｋを受信して、受信したＳＳ  ｂｌｏｃｋに関連付けられたＲＡＣＨリソースでプリアンブルを送信して初期アクセス手順を開始する。ＲＡＣＨリソースは、ビームに関連付けられていてもよい。
【００２７】
図３に示される例では、ＳＳ  ｂｕｒｓｔ  ｓｅｔに含まれる４番目のＳＳ  ｂｌｏｃｋをユーザ装置２００は受信し、４番目のＳＳ  ｂｌｏｃｋに関連付けられているＲＡＣＨリソース２で、プリアンブルを送信する。また、図３に示される例では、ＳＳ  ｂｕｒｓｔ  ｓｅｔに含まれる２番目のＳＳ  ｂｌｏｃｋは、ＲＡＣＨリソース１に関連付けられ、ＳＳ  ｂｕｒｓｔ  ｓｅｔに含まれる６番目のＳＳ  ｂｌｏｃｋは、ＲＡＣＨリソース３に関連付けられている。また、ＳＳ  ｂｌｏｃｋには、対応するＳＳ  ｂｌｏｃｋ  ｉｎｄｅｘが存在し、例えば、ＳＳ  ｂｕｒｓｔ  ｓｅｔに含まれる４番目のＳＳ  ｂｌｏｃｋのＳＳ  ｂｌｏｃｋ  ｉｎｄｅｘは、「４」と定義される。
【００２８】
図３に示されるようなＲＡＣＨリソースを用いて、非衝突型（contention free）ランダムアクセスを実行する方法が検討されている。非衝突型ランダムアクセスがハンドオーバによって開始される場合、ＳＳ  ｂｌｏｃｋ又はＣＳＩ−ＲＳと、ＲＡＣＨリソースとの対応関係がハンドオーバコマンドでユーザ装置２００に通知されてもよい。
【００２９】
一方、ハンドオーバ以外のトリガによって非衝突型ランダムアクセスが開始される場合、ハンドオーバ時とは異なるＳＳ  ｂｌｏｃｋ又はＣＳＩ−ＲＳとＲＡＣＨリソース及び／又はプリアンブルインデックスの対応関係がユーザ装置２００に使用されることが考えられる。
【００３０】
また、ネットワークからのＰＤＣＣＨ  ｏｒｄｅｒによりランダムアクセス手順が開始される場合、ＳＳ  ｂｌｏｃｋ又はＣＳＩ−ＲＳと、ＲＡＣＨリソース及び／又はプリアンブルインデックスとの全ての対応関係を示す情報がＰＤＣＣＨ  ｏｒｄｅｒに含まれて通知されるとシグナリングオーバヘッドが大きくなる。
【００３１】
また、ハンドオーバ時の非衝突型ランダムアクセスにおいて、ＲＡＣＨリソースを特定する具体的な方法は定められていない。
【００３２】
そこで、衝突型（contention based）ランダムアクセス用に報知情報等でユーザ装置２００に通知された、ＳＳ  ｂｌｏｃｋとＲＡＣＨリソース及び／又はプリアンブルインデックスとの対応関係の一部を、非衝突型ランダムアクセス用のＳＳ  ｂｌｏｃｋとＲＡＣＨリソース及び／又はプリアンブルインデックスとの対応関係に利用して、シグナリングオーバヘッドを低減する。さらに、付加的な情報を個別のシグナリング、例えばＰＤＣＣＨ  ｏｒｄｅｒのＤＣＩ（Downlink Control Information）又はＲＲＣ（Radio Resource Control）シグナリングでユーザ装置２００に通知して、ＳＳ  ｂｌｏｃｋとＲＡＣＨリソース及び／又はプリアンブルインデックスとの対応関係を特定してもよい。以下、図４、図５又は図６において、当該付加的な情報の例を説明する。
【００３３】
図４は、本発明の実施の形態におけるＳＳ  ｂｌｏｃｋに関連付けられたＲＡＣＨリソースの例（１）を示す図である。
【００３４】
非衝突型ランダムアクセスを実行する場合、ＲＡＣＨリソースの時間領域における位置、ＲＡＣＨリソースの周波数領域における位置又はプリアンブルインデックスの３つの領域のうち、少なくともいずれか１つを衝突型ランダムアクセスに使用されるＲＡＣＨリソース又はプリアンブルインデックスとは分離してユーザ装置２００に割り当てる必要がある。
【００３５】
すなわち、上記３つの領域のうち、２つの領域は、衝突型ランダムアクセスと非衝突型ランダムアクセスとで、ＲＡＣＨリソース又はプリアンブルインデックスが共有されていてもよい。
【００３６】
例えば、時間領域において衝突型ランダムアクセスと非衝突型ランダムアクセスとでリソースを共有する場合、衝突型ランダムアクセスにおけるあるＳＳ  ｂｌｏｃｋに対応するＲＡＣＨリソースの数が時間領域において複数個設定されてもよい。なお、時間領域における当該複数個のＲＡＣＨリソース全てが、１回の非衝突型ランダムアクセスに割り当てられた場合、使用されないＲＡＣＨリソースが無駄になる。
【００３７】
そこで、衝突型ランダムアクセスと非衝突型ランダムアクセスとで共有されるＲＡＣＨリソース及び／又はプリアンブルインデックスのうち、あるユーザ装置２００に個別に割当てる１つのＲＡＣＨリソース及び／又はプリアンブルインデックスを指定してもよい。当該指定は、ＳＳ  ｂｌｏｃｋごとに、対応するＲＡＣＨリソース及び／又はプリアンブルインデックスにおいて、インデックスを割り振り通知してもよい。
【００３８】
図４において、時間領域のインデックスとして、０、１、２の３つが割り振られた場合を示す。図４に示される「ＳＳ  ｂｌｏｃｋ＃０に対応」、「ＳＳ  ｂｌｏｃｋ＃１に対応」、「ＳＳ  ｂｌｏｃｋ＃２に対応」のそれぞれにおいて、中央の枠のリソースがインデックス１、中央の枠の左側のリソースがインデックス０、中央の枠の右側のリソースがインデックス２に対応する。
【００３９】
図４に示される、「ＳＳ  ｂｌｏｃｋ＃０に対応」、「ＳＳ  ｂｌｏｃｋ＃１に対応」、「ＳＳ  ｂｌｏｃｋ＃２に対応」の中央の枠のリソースが、インデックス１がユーザ装置２００に割り当てられた場合の時間領域のＲＡＣＨリソースの位置を示す。当該ユーザ装置２００は、ＳＳ  ｂｌｏｃｋの検出結果又は測定結果等に基づいて、中央の枠のリソースのうち、ＳＳ  ｂｌｏｃｋ＃０、ＳＳ  ｂｌｏｃｋ＃１、ＳＳ  ｂｌｏｃｋ＃２のいずれかに対応するリソースを選択する。また例えば、他のユーザ装置２００に対して、インデックス０として中央の枠の左側のリソースを指定することができる。当該他のユーザ装置２００が複数である場合であっても、周波数領域又はプリアンブルインデックスの領域をさらに個別に通知することにより、非衝突型ランダムアクセスを実行することができる。
【００４０】
また、プリアンブルインデックスの割り当てにインデックスが付与される例を説明する。例えば、全体で６４個のプリアンブルインデックスが、２つのＳＳ  ｂｌｏｃｋに対して３２個ずつ対応し、ＳＳ  ｂｌｏｃｋ＃０がプリアンブルインデックス＃０−＃３１、ＳＳ  ｂｌｏｃｋ＃１がプリアンブルインデックス＃３２−＃６３に対応しているとする。ユーザ装置２００が、インデックス０を通知された場合、プリアンブルインデックス＃０又はプリアンブルインデックス＃３２のうち、ＳＳ  ｂｌｏｃｋの検出結果又は測定結果等に基づいて、いずれかのプリアンブルインデックスを選択してもよい。また例えば、ユーザ装置２００が、インデックス１２を通知された場合、プリアンブルインデックス＃１２又はプリアンブルインデックス＃４４のうち、ＳＳ  ｂｌｏｃｋの検出結果又は測定結果等に基づいて、いずれかのプリアンブルインデックスを選択してもよい。
【００４１】
また例えば、プリアンブルインデックスに対して６ビット、時間領域に４ビット、周波数領域に３ビットの情報量をＤＣＩ又はＲＲＣ等のシグナリングに使用する場合、プリアンブルインデックスは６４個、時間領域はスロット内のシンボル数１４個、周波数領域は５リソース分の割り当てが必要である場合に対応することができる。
【００４２】
また例えば、時間領域と周波数領域とを統合してビットにマッピングするインデックス予め規定されてもよい。例えば、スロット内の後方シンボル１２個、周波数領域で５リソース分の割り当てを行うとき、インデックス６０個は、６ビットで通知可能である。時間領域と周波数領域を統合しない場合、時間領域の１２は４ビットを要し、周波数領域の５は３ビットを要するため、計７ビットを要する。すなわち、時間領域と周波数領域とを統合してビットにマッピングするインデックスを使用することで、情報量を１ビット削減し、シグナリングオーバヘッドを低減することができる。
【００４３】
なお、さらにプリアンブルインデックスを統合して、ビットにマッピングするインデックスが使用されてもよい。
【００４４】
上述の、時間領域、周波数領域、プリアンブルインデックスを特定するために通知する情報ビットを、以下「リソース特定ビット」という。
【００４５】
非衝突型ランダムアクセスを実現する場合、時間領域、周波数領域及びプリアンブルインデックスの３領域において、少なくともいずれか１つを衝突型ランダムアクセスとは分離して割り当てる必要がある。そこで、いずれの領域を分離して割り当てるかを、例えばＰＤＣＣＨ  ｏｒｄｅｒによるＤＣＩ又はＲＲＣシグナリング等でユーザ装置２００に通知してもよいし、予め規定されてもよい。
【００４６】
例えば、１）プリアンブルインデックス、２）時間領域、３）周波数領域、４）時間領域及び周波数領域、等が衝突型ランダムアクセスで使用するリソースとは分離して割り当てることが通知されてもよい。
【００４７】
以下、非衝突型ランダムアクセスにおいて、プリアンブルインデックスが衝突型ランダムアクセスとは分離して割り当てられる場合を説明する。以下において、プリアンブルインデックスは６４個であり、ＳＳ  ｂｌｏｃｋ＃０とＳＳ  ｂｌｏｃｋ＃１が使用されるとする。例えば、衝突型ランダムアクセス用のＳＳ  ｂｌｏｃｋ＃０に対応するプリアンブルインデックスが、プリアンブルインデックス＃０−＃２３、衝突型ランダムアクセス用のＳＳ  ｂｌｏｃｋ＃１に対応するプリアンブルインデックスが、プリアンブルインデックス＃２４−＃４７とする。このとき、非衝突型ランダムアクセス用のプリアンブルインデックスは、プリアンブルインデックス＃４８−＃６３が利用可能である。
【００４８】
非衝突型ランダムアクセス用のＳＳ  ｂｌｏｃｋ＃０に対応するプリアンブルインデックスが、プリアンブルインデックス＃４８、＃５０、＃５２、＃５４、＃５６、＃５８、＃６０、＃６２、非衝突型ランダムアクセス用のＳＳ  ｂｌｏｃｋ＃１に対応するプリアンブルインデックスが、プリアンブルインデックス＃４９、＃５１、＃５３、＃５５、＃５７、＃５９、＃６１、＃６３とする。プリアンブルインデックスに係る通知として、インデックス０−７が割り振られる。ユーザ装置２００にインデックス０が通知されたとき、ユーザ装置２００は、ＳＳ  ｂｌｏｃｋ＃０に対応するプリアンブルインデックス＃４８又はＳＳ  ｂｌｏｃｋ＃１に対応する＃４９を、ＳＳ  ｂｌｏｃｋの検出結果又は測定結果等に基づいて、いずれかのプリアンブルインデックスを選択してもよい。また例えば、ユーザ装置２００にインデックス３が通知されたとき、ユーザ装置２００は、ＳＳ  ｂｌｏｃｋ＃０に対応するプリアンブルインデックス＃５４又はＳＳ  ｂｌｏｃｋ＃１に対応する＃５５を、ＳＳ  ｂｌｏｃｋの検出結果又は測定結果等に基づいて、いずれかのプリアンブルインデックスを選択してもよい。
【００４９】
また、プリアンブルインデックス＃４８−＃６３に、インデックスを割り振る他の方法として、非衝突型ランダムアクセス用のＳＳ  ｂｌｏｃｋ＃０に対応するプリアンブルインデックスが、プリアンブルインデックス＃４８−＃５５、非衝突型ランダムアクセス用のＳＳ  ｂｌｏｃｋ＃１に対応するプリアンブルインデックスが、プリアンブルインデックス＃５６−＃６３とする。プリアンブルインデックスに係る通知として、インデックス０−７が割り振られる。ユーザ装置２００にインデックス０が通知されたとき、ユーザ装置２００は、ＳＳ  ｂｌｏｃｋ＃０に対応するプリアンブルインデックス＃４８又はＳＳ  ｂｌｏｃｋ＃１に対応する＃５６を、ＳＳ  ｂｌｏｃｋの検出結果又は測定結果等に基づいて、いずれかのプリアンブルインデックスを選択してもよい。また例えば、ユーザ装置２００にインデックス３が通知されたとき、ユーザ装置２００は、ＳＳ  ｂｌｏｃｋ＃０に対応するプリアンブルインデックス＃５１又はＳＳ  ｂｌｏｃｋ＃１に対応する＃５９を、ＳＳ  ｂｌｏｃｋの検出結果又は測定結果等に基づいて、いずれかのプリアンブルインデックスを選択してもよい。
【００５０】
上述のような、時間領域又はプリアンブルインデックスが、複数のＳＳ  ｂｌｏｃｋ間で同一のインデックスを用いてそれぞれ割り当てられる例と同様に、周波数領域においても複数のＳＳ  ｂｌｏｃｋ間で同一のインデックスを用いてそれぞれ割り当てられてもよい。
【００５１】
なお、時間領域、周波数領域、プリアンブルインデックスを指定する上述のリソース特定ビットが、３領域のいずれかを分離して割り当てるかを示す情報ビットとして読み替えて使用されてもよい。
【００５２】
図５は、本発明の実施の形態におけるＳＳ  ｂｌｏｃｋに関連付けられたＲＡＣＨリソースの例（２）を示す図である。例えば、時間領域及び周波数領域において、衝突型ランダムアクセスとは分離された割り当てが非衝突型ランダムアクセスに対して行われるとき、非衝突型ランダムアクセスのリソースをユーザ装置２００に通知するために、衝突型ランダムアクセスのリソース又はＳＳ  ｂｌｏｃｋからのオフセットが通知されてもよいし、スロットのインデックス、シンボルのインデックス等が通知されてもよいし、予め規定されてもよい。時間領域、周波数領域、プリアンブルインデックスを指定する上述のリソース特定ビットが、当該オフセット、スロットのインデックス、シンボルのインデックス等を示す情報ビットとして読み替えて使用されてもよい。オフセットは、時間領域で指定されてもよいし周波数領域で指定されてもよいし時間領域及び周波数領域で指定されてもよい。インデックスは、時間領域で割り振られてもよいし周波数領域で割り振られてもよいし時間領域及び周波数領域で割り振られてもよい。
【００５３】
図５において、時間領域を分離して非衝突型ランダムアクセスに割り当てる例を説明する。図５に示されるように、衝突型ランダムアクセス用に割り当てられたリソースセットと同じ大きさを有するリソースセットを、上記のオフセット又はインデックスを用いて指定して非衝突型ランダムアクセス用：例１のように割り当ててもよい。非衝突型ランダムアクセス用に割り当てられたリソースセット内部のリソースの指定は、上述のリソース特定ビットに基づいて、それぞれのユーザ装置２００が使用するリソースを指定してもよい。上記のオフセット又はインデックスは、上述のリソース特定ビットとは別途通知されてもよい。また、上記のオフセット又はインデックスと共に、リソースセットのサイズ又は領域を特定する情報が通知されてもよい。
【００５４】
非衝突型ランダムアクセス：例１において、リソースセットのうち時間領域で後方の実線で囲まれたリソースが、あるユーザ装置２００に割り当てられたＳＳ  ｂｌｏｃｋ＃０及びＳＳ  ｂｌｏｃｋ＃１に対応するリソースである。時間領域のみが指定されているため、周波数領域は、図５に示される上下いずれのリソースを当該ユーザ装置２００は使用してもよい。
【００５５】
なお、リソースセットとは、時間領域、周波数領域、プリアンブルインデックスの３領域で設定されるＲＡＣＨリソース及び／又はプリアンブルインデックスの集合である。リソースセットは、時間領域、周波数領域、プリアンブルインデックスのうち、３領域において設定されてもよいし、いずれか２領域において設定されてもよいし、いずれか１領域で設定されてもよい。
【００５６】
図６は、本発明の実施の形態におけるＳＳ  ｂｌｏｃｋに関連付けられたＲＡＣＨリソースの例（３）を示す図である。
図６に示されるように、衝突型ランダムアクセス用に割り当てられたリソースセットと異なる大きさのリソースセットが、非衝突型ランダムアクセス用に割り当てられてもよい。図５と同様に、非衝突型ランダムアクセス用のリソースセットは、衝突型ランダムアクセス用のリソースセットからのオフセット又はインデックスによって通知されてもよい。
【００５７】
図６に示される非衝突型ランダムアクセス用：例２においては、ＳＳ  ｂｌｏｃｋごとの時間領域のリソース数が１である。したがって、非衝突型ランダムアクセス用に割り当てられたリソースセット内部のリソースの指定には、時間領域の情報は含まれなくてもよい。同様に、非衝突型ランダムアクセス用に割り当てられたリソースセットが周波数領域又はプリアンブルインデックスにおいて設定されているとき、ＳＳ  ｂｌｏｃｋごとの周波数領域のリソース数が１又はプリアンブルインデックスのリソース数が１の場合、非衝突型ランダムアクセス用に割り当てられたリソースセット内部のリソースの指定には、周波数領域又はプリアンブルインデックスの情報は含まれなくてもよい。
【００５８】
また、非衝突型ランダムアクセス用に割り当てられたリソースセットがプリアンブルインデックスにおいて設定されているとき、例えば、ＳＳ  ｂｌｏｃｋごとに関連付けられている衝突型ランダムアクセスに使用されるプリアンブルインデックスの数が、非衝突型ランダムアクセス用に割り当てられたリソースセットに含まれるプリアンブルインデックスの数と同一であってもよい。すなわち、非衝突型ランダムアクセス用に割り当てられたリソースセットに含まれるプリアンブルインデックスの情報は、ユーザ装置２００に通知されなくてもよい。例えば、衝突型ランダムアクセスに使用されるプリアンブルインデックスが、ＳＳ  ｂｌｏｃｋ＃０には＃０−＃１５、ＳＳｂｌｏｃｋ＃１には＃１６−＃３１が対応している場合、非衝突型ランダムアクセス用に割り当てられたリソースセットに含まれるプリアンブルインデックスについて、ＳＳ  ｂｌｏｃｋ＃０には＃３２−＃４７、ＳＳｂｌｏｃｋ＃１には＃４８−＃６３が対応することが予め規定されてもよい。
【００５９】
また例えば、ＳＳ  ｂｌｏｃｋごとに関連付けられている衝突型ランダムアクセスに使用されるプリアンブルインデックスの各ＳＳ  ｂｌｏｃｋにおける割り当て比率が、非衝突型ランダムアクセス用に割り当てられたリソースセットに含まれる残りのプリアンブルインデックスの各ＳＳ  ｂｌｏｃｋにおける割り当て比率と同一であってもよい。すなわち、非衝突型ランダムアクセス用に割り当てられたリソースセットに含まれるプリアンブルインデックスの情報は、ユーザ装置２００に通知されなくてもよい。例えば、衝突型ランダムアクセスに使用されるプリアンブルインデックスが、ＳＳ  ｂｌｏｃｋ＃０には＃０−＃２３、ＳＳｂｌｏｃｋ＃１には＃２４−＃４７が対応している場合、ＳＳｂｌｏｃｋ＃０とＳＳ  ｂｌｏｃｋ＃１との割り当て比率は１：１になる。したがって、非衝突型ランダムアクセス用に割り当てられたリソースセットに含まれる残りのプリアンブルインデックスについて、ＳＳ  ｂｌｏｃｋ＃０には＃４８−＃５５、ＳＳｂｌｏｃｋ＃１には＃５６−＃６３が対応することが予め規定されてもよい。
【００６０】
非衝突型ランダムアクセス：例２において、リソースセットのすべてが、あるユーザ装置２００に割り当てられたＳＳ  ｂｌｏｃｋ＃０及びＳＳ  ｂｌｏｃｋ＃１に対応するリソースである。周波数領域は、図５に示される上下いずれのリソースを当該ユーザ装置２００は使用してもよい。
【００６１】
上述の実施例において、基地局装置１００が、非衝突型ランダムアクセスで使用するリソースをユーザ装置２００に通知するとき、衝突型ランダムアクセスで使用する報知情報等で通知されたＳＳ  ｂｌｏｃｋとＲＡＣＨリソース及び／又はプリアンブルインデックスとの対応関係を一部使用し、付加的な情報をユーザ装置２００個別の情報としてシグナリングすることで、非衝突型ランダムアクセスに使用するリソースの通知に要するシグナリングを削減することができる。また、非衝突型ランダムアクセスに使用するリソースを、時間領域、周波数領域又はプリアンブルインデックスの３領域のいずれかを衝突型ランダムアクセスに使用するリソースから分離して割り当てることで、非衝突型ランダムアクセスに使用するリソースの通知に要するシグナリングを削減し、かつ分離されない領域のリソースを衝突型ランダムアクセスに使用することができる。
【００６２】
すなわち、無線通信システムの初期アクセスにおいて、非衝突型ランダムアクセスに使用するリソースを効率良くユーザ装置に通知することができる。
【００６３】
（実施例２）
以下、実施例２について説明する。
【００６４】
ＲＲＣシグナリングにより、ユーザ装置２００に個別の、ＳＳ  ｂｌｏｃｋとＲＡＣＨリソース及び／又はプリアンブルインデックスの対応関係を通知してもよい。当該対応関係のうち、一部はユーザ装置２００共通の情報で、一部はユーザ装置２００個別の情報であってもよい。ＲＲＣシグナリングにより通知される情報で各ＳＳ  ｂｌｏｃｋと対応するユーザ装置２００個別のＲＡＣＨリソース及び／又はプリアンブルインデックスが指定されることで、当該ユーザ装置２００は、ＳＳ  ｂｌｏｃｋの検出結果又は測定結果に基づいて、いずれのＳＳ  ｂｌｏｃｋに対応するＲＡＣＨリソース及び／又はプリアンブルインデックスを自由に選択しても、非衝突型ランダムアクセスを実行することができる。
【００６５】
また、ハンドオーバの場合、ハンドオーバコマンドで通知されたＳＳ  ｂｌｏｃｋとＲＡＣＨリソース及び／又はプリアンブルインデックスの対応関係の一部又は全部を使用した上でさらに、ユーザ装置２００個別のシグナリング、例えば、ハンドオーバコマンド内部、他のＲＲＣシグナリング、ＰＤＣＣＨ  ｏｒｄｅｒ（ＤＣＩ）等による実施例１で説明した付加的な情報を通知することにより、非衝突型ランダムアクセスが実行されてもよい。ハンドオーバコマンドで通知される対応関係を使用するため、ＳＳ  ｂｌｏｃｋとＲＡＣＨリソース及び／又はプリアンブルインデックスに係るシグナリングのオーバヘッドを低減することができる。ハンドオーバコマンドと同様に、ＲＲＣシグナリングにおいてＳＳ  ｂｌｏｃｋとＲＡＣＨリソース及び／又はプリアンブルインデックスの対応関係を含む何らかの通知を利用して、さらに実施例１で説明した付加的な情報を通知することにより、非衝突型ランダムアクセスが実行されてもよい。
【００６６】
上述の実施例２において、基地局装置１００は、非衝突型ランダムアクセスに使用するリソースをユーザ装置２００に通知するとき、ＳＳ  ｂｌｏｃｋとＲＡＣＨリソース及び／又はプリアンブルインデックスの対応関係を明示的に通知することができる。また、基地局装置１００は、非衝突型ランダムアクセスに使用するリソースをユーザ装置２００に通知するとき、ＳＳ  ｂｌｏｃｋとＲＡＣＨリソース及び／又はプリアンブルインデックスの既定である対応関係を使用することにより、非衝突型ランダムアクセスに使用するリソースの通知に係るシグナリングを低減することができる。
【００６７】
（装置構成）
次に、これまでに説明した処理及び動作を実行する基地局装置１００及びユーザ装置２００の機能構成例を説明する。基地局装置１００及びユーザ装置２００はそれぞれ、少なくとも実施例を実施する機能を含む。ただし、基地局装置１００及びユーザ装置２００はそれぞれ、実施例の中の一部の機能のみを備えることとしてもよい。
【００６８】
図７は、基地局装置１００の機能構成の一例を示す図である。図７に示されるように、基地局装置１００は、送信部１１０と、受信部１２０と、設定情報管理部１３０と、初期アクセス設定部１４０とを有する。図７に示される機能構成は一例に過ぎない。本発明の実施の形態に係る動作を実行できるのであれば、機能区分及び機能部の名称はどのようなものでもよい。
【００６９】
送信部１１０は、ユーザ装置２００側に送信する信号を生成し、当該信号を無線で送信する機能を含む。受信部１２０は、ユーザ装置２００から送信された各種の信号を受信し、受信した信号から、例えばより上位のレイヤの情報を取得する機能を含む。また、送信部１１０は、ユーザ装置２００へＮＲ−ＰＳＳ、ＮＲ−ＳＳＳ、ＮＲ−ＰＢＣＨ、ＤＬ／ＵＬ制御信号等を送信する機能を有する。また、送信部１１０は、ユーザ装置２００に送信電力制御に関する情報及びスケジューリングに関する情報を送信し、受信部１２０は、ユーザ装置２００からプリアンブル及び初期アクセスに係るメッセージを受信する。
【００７０】
設定情報管理部１３０は、予め設定される設定情報、及び、ユーザ装置２００に送信する各種の設定情報を格納する。設定情報の内容は、例えば、初期アクセスに使用する情報等である。
【００７１】
初期アクセス設定部１４０は、実施例において説明した、基地局装置１００におけるユーザ装置２００への同期信号及び初期アクセスに使用する情報を含むシステム情報の送信に係る制御、及びユーザ装置２００からの初期アクセスに係る制御を行う。
【００７２】
図８は、ユーザ装置２００の機能構成の一例を示す図である。図８に示されるように、ユーザ装置２００は、送信部２１０と、受信部２２０と、設定情報管理部２３０と、初期アクセス制御部２４０とを有する。図８に示される機能構成は一例に過ぎない。本発明の実施の形態に係る動作を実行できるのであれば、機能区分及び機能部の名称はどのようなものでもよい。
【００７３】
送信部２１０は、送信データから送信信号を作成し、当該送信信号を無線で送信する。受信部２２０は、各種の信号を無線受信し、受信した物理レイヤの信号からより上位のレイヤの信号を取得する。また、受信部２２０は、基地局装置１００から送信されるＮＲ−ＰＳＳ、ＮＲ−ＳＳＳ、ＮＲ−ＰＢＣＨ、ＤＬ／ＵＬ制御信号等を受信する機能を有する。また、送信部２１０は、基地局装置１００にプリアンブル及び初期アクセスに係るメッセージを送信し、受信部１２０は、基地局装置１００から初期アクセスに使用する情報を受信する。
【００７４】
設定情報管理部２３０は、受信部２２０により基地局装置１００から受信した各種の設定情報を格納する。また、設定情報管理部２３０は、予め設定される設定情報も格納する。設定情報の内容は、例えば、初期アクセスに使用する情報等である。
【００７５】
初期アクセス制御部２４０は、実施例において説明した、ユーザ装置２００における初期アクセスに係る制御を行う。なお、初期アクセス制御部２４０におけるプリアンブル信号送信等に関する機能部を送信部２１０に含め、初期アクセス制御部２４０におけるシステム情報受信等に関する機能部を受信部２２０に含めてもよい。
【００７６】
（ハードウェア構成）
上述の本発明の実施の形態の説明に用いた機能構成図（図７及び図８）は、機能単位のブロックを示している。これらの機能ブロック（構成部）は、ハードウェア及び／又はソフトウェアの任意の組み合わせによって実現される。また、各機能ブロックの実現手段は特に限定されない。すなわち、各機能ブロックは、物理的及び／又は論理的に複数要素が結合した１つの装置により実現されてもよいし、物理的及び／又は論理的に分離した２つ以上の装置を直接的及び／又は間接的に（例えば、有線及び／又は無線）で接続し、これら複数の装置により実現されてもよい。
【００７７】
また、例えば、本発明の一実施の形態における基地局装置１００及びユーザ装置２００はいずれも、本発明の実施の形態に係る処理を行うコンピュータとして機能してもよい。図９は、本発明の実施の形態に係る基地局装置１００又はユーザ装置２００である無線通信装置のハードウェア構成の一例を示す図である。上述の基地局装置１００及びユーザ装置２００はそれぞれ、物理的には、プロセッサ１００１、記憶装置１００２、補助記憶装置１００３、通信装置１００４、入力装置１００５、出力装置１００６、バス１００７などを含むコンピュータ装置として構成されてもよい。
【００７８】
なお、以下の説明では、「装置」という文言は、回路、デバイス、ユニットなどに読み替えることができる。基地局装置１００及びユーザ装置２００のハードウェア構成は、図に示した１００１〜１００６で示される各装置を１つ又は複数含むように構成されてもよいし、一部の装置を含まずに構成されてもよい。
【００７９】
基地局装置１００及びユーザ装置２００における各機能は、プロセッサ１００１、記憶装置１００２などのハードウェア上に所定のソフトウェア（プログラム）を読み込ませることで、プロセッサ１００１が演算を行い、通信装置１００４による通信、記憶装置１００２及び補助記憶装置１００３におけるデータの読み出し及び／又は書き込みを制御することで実現される。
【００８０】
プロセッサ１００１は、例えば、オペレーティングシステムを動作させてコンピュータ全体を制御する。プロセッサ１００１は、周辺装置とのインターフェース、制御装置、演算装置、レジスタなどを含む中央処理装置（ＣＰＵ：Central Processing Unit）で構成されてもよい。
【００８１】
また、プロセッサ１００１は、プログラム（プログラムコード）、ソフトウェアモジュール又はデータを、補助記憶装置１００３及び／又は通信装置１００４から記憶装置１００２に読み出し、これらに従って各種の処理を実行する。プログラムとしては、上述の実施の形態で説明した動作の少なくとも一部をコンピュータに実行させるプログラムが用いられる。例えば、図７に示した基地局装置１００の送信部１１０、受信部１２０、設定情報管理部１３０、初期アクセス設定部１４０は、記憶装置１００２に格納され、プロセッサ１００１で動作する制御プログラムによって実現されてもよい。また、例えば、図８に示したユーザ装置２００の送信部２１０と、受信部２２０と、設定情報管理部２３０、初期アクセス制御部２４０は、記憶装置１００２に格納され、プロセッサ１００１で動作する制御プログラムによって実現されてもよい。上述の各種処理は、１つのプロセッサ１００１で実行される旨を説明してきたが、２以上のプロセッサ１００１により同時又は逐次に実行されてもよい。プロセッサ１００１は、１以上のチップで実装されてもよい。なお、プログラムは、電気通信回線を介してネットワークから送信されても良い。
【００８２】
記憶装置１００２は、コンピュータ読み取り可能な記録媒体であり、例えば、ＲＯＭ（Read Only Memory）、ＥＰＲＯＭ（Erasable Programmable ROM）、ＥＥＰＲＯＭ（Electrically Erasable Programmable ROM）、ＲＡＭ（Random Access Memory）などの少なくとも１つで構成されてもよい。記憶装置１００２は、レジスタ、キャッシュ、メインメモリ（主記憶装置）などと呼ばれてもよい。記憶装置１００２は、本発明の一実施の形態に係る処理を実施するために実行可能なプログラム（プログラムコード）、ソフトウェアモジュールなどを保存することができる。
【００８３】
補助記憶装置１００３は、コンピュータ読み取り可能な記録媒体であり、例えば、ＣＤ−ＲＯＭ（Compact Disc ROM）などの光ディスク、ハードディスクドライブ、フレキシブルディスク、光磁気ディスク（例えば、コンパクトディスク、デジタル多用途ディスク、Ｂｌｕ−ｒａｙ（登録商標）ディスク）、スマートカード、フラッシュメモリ（例えば、カード、スティック、キードライブ）、フロッピー（登録商標）ディスク、磁気ストリップなどの少なくとも１つで構成されてもよい。補助記憶装置１００３は、補助記憶装置と呼ばれてもよい。上述の記憶媒体は、例えば、記憶装置１００２及び／又は補助記憶装置１００３を含むデータベース、サーバその他の適切な媒体であってもよい。
【００８４】
通信装置１００４は、有線及び／又は無線ネットワークを介してコンピュータ間の通信を行うためのハードウェア（送受信デバイス）であり、例えばネットワークデバイス、ネットワークコントローラ、ネットワークカード、通信モジュールなどともいう。例えば、基地局装置１００の送信部１１０及び受信部１２０は、通信装置１００４で実現されてもよい。また、ユーザ装置２００の送信部２１０及び受信部２２０は、通信装置１００４で実現されてもよい。
【００８５】
入力装置１００５は、外部からの入力を受け付ける入力デバイス（例えば、キーボード、マウス、マイクロフォン、スイッチ、ボタン、センサなど）である。出力装置１００６は、外部への出力を実施する出力デバイス（例えば、ディスプレイ、スピーカー、ＬＥＤランプなど）である。なお、入力装置１００５及び出力装置１００６は、一体となった構成（例えば、タッチパネル）であってもよい。
【００８６】
また、プロセッサ１００１及び記憶装置１００２などの各装置は、情報を通信するためのバス１００７で接続される。バス１００７は、単一のバスで構成されてもよいし、装置間で異なるバスで構成されてもよい。
【００８７】
また、基地局装置１００及びユーザ装置２００はそれぞれ、マイクロプロセッサ、デジタル信号プロセッサ（ＤＳＰ：Digital Signal Processor）、ＡＳＩＣ（Application Specific Integrated Circuit）、ＰＬＤ（Programmable Logic Device）、ＦＰＧＡ（Field Programmable Gate Array）などのハードウェアを含んで構成されてもよく、当該ハードウェアにより、各機能ブロックの一部又は全てが実現されてもよい。例えば、プロセッサ１００１は、これらのハードウェアの少なくとも１つで実装されてもよい。
【００８８】
（実施の形態のまとめ）
以上、説明したように、本発明の実施の形態によれば、基地局装置と通信を行うユーザ装置であって、１又は複数のブロックと、非衝突型ランダムアクセスに使用されるリソースの一部を特定する情報を含む通知とを前記基地局装置から受信する受信部と、前記ブロックと関連付けられたランダムアクセスに使用されるリソースを特定する情報と、前記非衝突型ランダムアクセスに使用されるリソースの一部を特定する情報とから、非衝突型ランダムアクセスに使用されるリソースを特定する制御部と、前記特定された非衝突型ランダムアクセスに使用されるリソースを使用して、プリアンブルを前記基地局装置に送信する送信部とを有するユーザ装置。
【００８９】
上記の構成により、ブロックと関連付けられたランダムアクセスに使用されるリソースを特定する情報を使用して、非衝突型ランダムアクセスに使用されるリソースを特定することで、無線通信システムの初期アクセスにおいて、非衝突型ランダムアクセスに使用するリソースを効率良くユーザ装置に通知することができる。
【００９０】
前記ブロックと関連付けられたランダムアクセスに使用されるリソースは、報知情報に基づく衝突型ランダムアクセスに使用されるリソース又はハンドオーバコマンドに基づいて特定されたリソース又はユーザ装置個別のシグナリングに基づいて特定されたリソースであってもよい。当該構成により、報知情報、ハンドオーバコマンド又は個別のシグナリングによるブロックと関連付けられたランダムアクセスに使用されるリソースを特定する情報を使用して、非衝突型ランダムアクセスに使用されるリソースを特定することで、シグナリングオーバヘッドを低減することができる。
【００９１】
前記非衝突型ランダムアクセスに使用されるリソースの一部を特定する情報は、時間領域、周波数領域又はプリアンブルインデックスの少なくともいずれかひとつを特定する情報であってもよい。当該構成により、非衝突型ランダムアクセスに使用されるリソースの時間領域、周波数領域又はプリアンブルインデックスの少なくともいずれかひとつを衝突型ランダムアクセスに使用されるリソースから分離することで、シグナリングオーバヘッドを低減し、ＲＡＣＨリソースを有効に活用することができる。
【００９２】
前記時間領域、周波数領域又はプリアンブルインデックスの少なくともいずれかひとつを特定する情報は、前記複数のブロック間で共通のインデックスを含み、前記共通のインデックスに基づいて、前記複数のブロックそれぞれに関連付けられる時間領域、周波数領域又はプリアンブルインデックスが特定されてもよい。当該構成により、共通のインデックスを使用することで、シグナリングオーバヘッドを低減し、また、複数のＳＳ  ｂｌｏｃｋのうちユーザ装置が受信条件の良いＳＳ  ｂｌｏｃｋを選択して、非衝突型ランダムアクセスを実行することができる。
【００９３】
前記ブロックと関連付けられたランダムアクセスに使用されるリソースは、衝突型ランダムアクセスに使用される複数のリソースを含むリソースセットであって、前記非衝突型ランダムアクセスに使用されるリソースの一部を特定する情報は、前記リソースセットからの時間領域又は周波数領域のオフセット及び非衝突型ランダムアクセスに使用されるリソースセットのサイズを特定する情報を含んでもよい。当該構成により、非衝突型ランダムアクセスに使用されるリソースセットをユーザ装置に通知することで、シグナリングオーバヘッドが削減できる。
【００９４】
また、本発明の実施の形態によれば、ユーザ装置と通信を行う基地局装置であって、非衝突型ランダムアクセスに使用されるリソースの一部を特定する情報を含む通知を生成する設定部と、複数のブロックと、前記非衝突型ランダムアクセスに使用されるリソースの一部を特定する情報を含む通知とを前記ユーザ装置に送信する送信部と、前記ブロックと関連付けられたランダムアクセスに使用するリソースを特定する情報と、前記非衝突型ランダムアクセスに使用されるリソースの一部を特定する情報とから、特定される非衝突型ランダムアクセスに使用されるリソースで、プリアンブルを前記ユーザ装置から受信する受信部とを有する基地局装置が提供される。
【００９５】
上記の構成により、ブロックと関連付けられたランダムアクセスに使用されるリソースを特定する情報を使用して、非衝突型ランダムアクセスに使用されるリソースを特定することで、無線通信システムの初期アクセスにおいて、非衝突型ランダムアクセスに使用するリソースを効率良くユーザ装置に通知することができる。
【００９６】
（実施形態の補足）
以上、本発明の実施の形態を説明してきたが、開示される発明はそのような実施形態に限定されず、当業者は様々な変形例、修正例、代替例、置換例等を理解するであろう。発明の理解を促すため具体的な数値例を用いて説明がなされたが、特に断りのない限り、それらの数値は単なる一例に過ぎず適切な如何なる値が使用されてもよい。上記の説明における項目の区分けは本発明に本質的ではなく、２以上の項目に記載された事項が必要に応じて組み合わせて使用されてよいし、ある項目に記載された事項が、別の項目に記載された事項に（矛盾しない限り）適用されてよい。機能ブロック図における機能部又は処理部の境界は必ずしも物理的な部品の境界に対応するとは限らない。複数の機能部の動作が物理的には１つの部品で行われてもよいし、あるいは１つの機能部の動作が物理的には複数の部品により行われてもよい。実施の形態で述べた処理手順については、矛盾の無い限り処理の順序を入れ替えてもよい。処理説明の便宜上、基地局装置１００及びユーザ装置２００は機能的なブロック図を用いて説明されたが、そのような装置はハードウェアで、ソフトウェアで又はそれらの組み合わせで実現されてもよい。本発明の実施の形態に従って基地局装置１００が有するプロセッサにより動作するソフトウェア及び本発明の実施の形態に従ってユーザ装置２００が有するプロセッサにより動作するソフトウェアはそれぞれ、ランダムアクセスメモリ（ＲＡＭ）、フラッシュメモリ、読み取り専用メモリ（ＲＯＭ）、ＥＰＲＯＭ、ＥＥＰＲＯＭ、レジスタ、ハードディスク（ＨＤＤ）、リムーバブルディスク、ＣＤ−ＲＯＭ、データベース、サーバその他の適切な如何なる記憶媒体に保存されてもよい。
【００９７】
また、情報の通知は、本明細書で説明した態様／実施形態に限られず、他の方法で行われてもよい。例えば、情報の通知は、物理レイヤシグナリング（例えば、ＤＣＩ（Downlink Control Information）、ＵＣＩ（Uplink Control Information））、上位レイヤシグナリング（例えば、ＲＲＣ（Radio Resource Control）シグナリング、ＭＡＣ（Medium Access Control）シグナリング、ブロードキャスト情報（ＭＩＢ（Master Information Block）、ＳＩＢ（System Information Block））、その他の信号又はこれらの組み合わせによって実施されてもよい。また、ＲＲＣシグナリングは、ＲＲＣメッセージと呼ばれてもよく、例えば、ＲＲＣ接続セットアップ（RRC Connection Setup）メッセージ、ＲＲＣ接続再構成（RRC Connection Reconfiguration）メッセージなどであってもよい。
【００９８】
本明細書で説明した各態様／実施形態は、ＬＴＥ（Long Term Evolution）、ＬＴＥ−Ａ（LTE-Advanced）、ＳＵＰＥＲ  ３Ｇ、ＩＭＴ−Ａｄｖａｎｃｅｄ、４Ｇ、５Ｇ、ＦＲＡ（Future Radio Access）、Ｗ−ＣＤＭＡ（登録商標）、ＧＳＭ（登録商標）、ＣＤＭＡ２０００、ＵＭＢ（Ultra Mobile Broadband）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、ＵＷＢ（Ultra-WideBand）、Ｂｌｕｅｔｏｏｔｈ（登録商標）、その他の適切なシステムを利用するシステム及び／又はこれらに基づいて拡張された次世代システムに適用されてもよい。
【００９９】
本明細書で説明した各態様／実施形態の処理手順、シーケンス、フローチャートなどは、矛盾の無い限り、順序を入れ替えてもよい。例えば、本明細書で説明した方法については、例示的な順序で様々なステップの要素を提示しており、提示した特定の順序に限定されない。
【０１００】
本明細書において基地局装置１００によって行われるとした特定動作は、場合によってはその上位ノード（upper node）によって行われることもある。基地局装置１００を有する１つ又は複数のネットワークノード（network nodes）からなるネットワークにおいて、ユーザ装置２００との通信のために行われる様々な動作は、基地局装置１００及び／又は基地局装置１００以外の他のネットワークノード（例えば、ＭＭＥ又はＳ−ＧＷなどが考えられるが、これらに限られない）によって行われ得ることは明らかである。上記において基地局装置１００以外の他のネットワークノードが１つである場合を例示したが、複数の他のネットワークノードの組み合わせ（例えば、ＭＭＥ及びＳ−ＧＷ）であってもよい。
【０１０１】
本明細書で説明した各態様／実施形態は単独で用いてもよいし、組み合わせて用いてもよいし、実行に伴って切り替えて用いてもよい。
【０１０２】
ユーザ装置２００は、当業者によって、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、又はいくつかの他の適切な用語で呼ばれる場合もある。
【０１０３】
基地局装置１００は、当業者によって、ＮＢ（NodeB）、ｅＮＢ（enhanced NodeB）、ｇＮＢ、ベースステーション（Base Station）、又はいくつかの他の適切な用語で呼ばれる場合もある。
【０１０４】
本明細書で使用する「判断（determining）」、「決定（determining）」という用語は、多種多様な動作を包含する場合がある。「判断」、「決定」は、例えば、判定（judging）、計算（calculating）、算出（computing）、処理（processing）、導出（deriving）、調査（investigating）、探索（looking up）（例えば、テーブル、データベース又は別のデータ構造での探索）、確認（ascertaining）した事を「判断」「決定」したとみなす事などを含み得る。また、「判断」、「決定」は、受信（receiving）（例えば、情報を受信すること）、送信（transmitting）（例えば、情報を送信すること）、入力（input）、出力（output）、アクセス（accessing）（例えば、メモリ中のデータにアクセスすること）した事を「判断」「決定」したとみなす事などを含み得る。また、「判断」、「決定」は、解決（resolving）、選択（selecting）、選定（choosing）、確立（establishing）、比較（comparing）などした事を「判断」「決定」したとみなす事を含み得る。つまり、「判断」「決定」は、何らかの動作を「判断」「決定」したとみなす事を含み得る。
【０１０５】
本明細書で使用する「に基づいて」という記載は、別段に明記されていない限り、「のみに基づいて」を意味しない。言い換えれば、「に基づいて」という記載は、「のみに基づいて」と「に少なくとも基づいて」の両方を意味する。
【０１０６】
「含む（include）」、「含んでいる（including）」、及びそれらの変形が、本明細書あるいは特許請求の範囲で使用されている限り、これら用語は、用語「備える（comprising）」と同様に、包括的であることが意図される。さらに、本明細書あるいは特許請求の範囲において使用されている用語「又は（or）」は、排他的論理和ではないことが意図される。
【０１０７】
本開示の全体において、例えば、英語でのａ、ａｎ及びｔｈｅのように、翻訳により冠詞が追加された場合、これらの冠詞は、文脈から明らかにそうではないことが示されていなければ、複数のものを含み得る。
【０１０８】
なお、本発明の実施の形態において、ＳＳ  ｂｌｏｃｋは、ブロックの一例である。ＲＡＣＨリソース及び／又はプリアンブルインデックスは、リソースの一例である。初期アクセス設定部１４０は、設定部の一例である。初期アクセス制御部２４０は、制御部の一例である。
【０１０９】
以上、本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。したがって、本明細書の記載は、例示説明を目的とするものであり、本発明に対して何ら制限的な意味を有するものではない。
【符号の説明】
【０１１０】
１００      基地局装置
２００      ユーザ装置
１１０      送信部
１２０      受信部
１３０      設定情報管理部
１４０      初期アクセス設定部
２００      ユーザ装置
２１０      送信部
２２０      受信部
２３０      設定情報管理部
２４０      初期アクセス制御部
１００１    プロセッサ
１００２    記憶装置
１００３    補助記憶装置
１００４    通信装置
１００５    入力装置
１００６    出力装置
【図１】
2019064603.tif 000003
【図２】
2019064603.tif 000004
【図３】
2019064603.tif 000005
【図４】
2019064603.tif 000006
【図５】
2019064603.tif 000007
【図６】
2019064603.tif 000008
【図７】
2019064603.tif 000009
【図８】
2019064603.tif 000010
【図９】
2019064603.tif 000011
【手続補正書】
【提出日】令和2年8月6日(2020.8.6)
【手続補正１】
【補正対象書類名】特許請求の範囲
【補正対象項目名】全文
【補正方法】変更
【補正の内容】
【特許請求の範囲】
【請求項１】
非衝突型ランダムアクセス用リソースを示す情報を含む通知と、１以上の同期信号ブロックとを基地局装置から受信する受信部と、
前記非衝突型ランダムアクセス用リソースを示す情報と、前記１以上の同期信号ブロックとランダムアクセス用リソースとの関連付けに関する情報とに基づいて、非衝突型ランダムアクセス用リソースを特定する制御部と、
特定された前記非衝突型ランダムアクセス用リソースを用いて、ランダムアクセスプリアンブルを前記基地局装置に送信する送信部と、を有する端末。
【請求項２】
前記非衝突型ランダムアクセス用リソースを示す情報に基づいて、前記１以上の同期信号ブロックとランダムアクセス用リソースとの関連付けに関する情報によって示されるリソースのうち、前記非衝突型ランダムアクセスに使用するリソースを特定する、請求項１に記載の端末。
【請求項３】
前記１以上の同期信号ブロックとランダムアクセス用リソースとの関連付けに関する情報は、前記１以上の同期信号ブロックと関連付けられたランダムアクセス用リソースを含む、当該端末が使用可能なランダムアクセス用リソースを示し、
当該端末が使用可能な前記ランダムアクセス用リソースは、同期信号ブロック毎に関連付けられおり、
前記非衝突型ランダムアクセス用リソースを示す情報は、各同期信号ブロックに関連付けられた前記ランダムアクセス用リソースのうち、前記ランダムアクセスプリアンブルの送信に用いる前記非衝突型ランダムアクセス用リソースを示す、請求項１又は請求項２に記載の端末。
【請求項４】
前記非衝突型ランダムアクセス用リソースを示す情報は、前記ランダムアクセスプリアンブルを送信する非衝突型ランダムアクセス用リソースの時間領域及び周波数領域における位置を示す請求項１から請求項３記載の端末。
【請求項５】
前記受信部は、前記端末固有のＲＲＣ(Radio Resource Control)シグナリング及びＰＤＣＣＨ(Physical Downlink Control Channel)の少なくとも１つにおいて、前記通知を受信する、請求項１から請求項４に記載の端末。
【請求項６】
前記制御部は、１以上の同期信号ブロックを用いたメジャメント結果に基づいて、１つの同期信号ブロックを選択し、前記選択された１つの同期信号ブロックに関連付けられた前記非衝突型ランダムアクセス用リソースを特定する、請求項１から請求項５に記載の端末。
【請求項７】
前記１以上の同期信号ブロックとランダムアクセス用リソースとの関連付けに関する情報は、報知情報に基づく、前記１以上の同期信号ブロックと衝突型ランダムアクセス用リソースの関連付けに関する情報である請求項１から請求項６に記載の端末。
【請求項８】
前記制御部は、前記通知に含まれる非衝突型用ランダムアクセスプリアンブルを示す情報と、前記受信部が受信した前記１以上の同期信号ブロックに基づいて、前記ランダムアクセスプリアンブルを選択し、
前記送信部は、選択した前記ランダムアクセスプリアンブルを前記基地局装置に送信する請求項１から請求項７に記載の端末。
【請求項９】
非衝突型ランダムアクセス用リソースを示す(indicate)情報を含む通知を基地局装置から受信するステップと、
１以上の同期信号ブロックを前記基地局装置から受信するステップと、
前記１以上の同期信号ブロックとランダムアクセス用リソースとの関連付けに関する情報と、前記非衝突型ランダムアクセス用リソースを示す情報に基づいて、非衝突型ランダムアクセス用リソースを特定するとステップと、
特定された前記非衝突型ランダムアクセス用リソースを用いて、ランダムアクセスプリアンブルを前記基地局装置に送信するステップと、を有する端末の通信方法。
【請求項１０】
１以上の同期信号ブロックと関連付けられたランダムアクセス用リソースに関する情報と、非衝突型ランダムアクセス用リソースを示す情報を決定する制御部と、
前記非衝突型ランダムアクセス用リソースを示す情報を含む通知と、前記１以上の同期信号ブロックとを端末へ送信する送信部と、
前記１以上の同期信号ブロックと関連付けられたランダムアクセス用リソースに関する情報と、前記非衝突型ランダムアクセス用リソースを示す情報に基づいて、ランダムアクセスプリアンブルを前記端末から受信する受信部と、を有する基地局装置。
【国際調査報告】
2019064603.tif 000012
2019064603.tif 000013
2019064603.tif 000014